(57)【要約】【課題】画像表示装置において、製造コストを増大させることなく高い防水性を有する構造を実現する。【解決手段】本発明に係る画像表示装置は、筐体１内に表示パネル２を具えた画像表示装置であって、前記筐体１を構成し、且つ表示パネル２の前面位置に画像表示窓が設けられた前側筐体構成部材11と、筐体１を構成する後側筐体構成部材12と、２つの筐体構成部材11，12の接合面間に表示パネル２を包囲する様に設けられたシール部材６と、前側筐体構成部材11又は後側筐体構成部材12の接合面にシール部材６に沿って設けられた溝部７とを具える。ここで、溝部７は、シール部材６の外側に設けられている。【選択図】図２
2011053355.tif 000002
【特許請求の範囲】
【請求項１】
筐体内に表示パネルを具えた画像表示装置であって、
前記筐体を構成し、且つ前記表示パネルの前面位置に画像表示窓が設けられた前側筐体構成部材と、
前記筐体を構成する後側筐体構成部材と、
前記２つの筐体構成部材の接合面間に前記表示パネルを包囲する様に設けられたシール部材と、
前側筐体構成部材又は後側筐体構成部材の接合面に前記シール部材に沿って設けられた溝部
とを具える画像表示装置。
【請求項２】
前記溝部は、前記シール部材の外側に設けられている画像表示装置。
【請求項３】
前記溝部は、前記シール部材に沿って筐体構成部材の端面まで延び、その先端部が筐体構成部材の端面に開口している請求項１又は請求項２に記載の画像表示装置。
【請求項４】
前記表示パネルは、その画面を略水平方向に向けて配置され、前記溝部は、前記表示パネルの画面の両側を略鉛直方向に延びている請求項３に記載の画像表示装置。
【発明の詳細な説明】
【技術分野】
【０００１】
本発明は、防水構造を有する画像表示装置に関する。
【背景技術】
【０００２】
従来の画像表示装置は、その殆どが屋内に設置することを前提として設計されたものであり（例えば特許文献１参照）、該画像表示装置には、画像表示パネル等の画像表示部を風雨やダスト等から保護する対策が施されていなかった。このため、従来の画像表示装置は、屋外に常設することが困難であった。
【０００３】
近年、平面型の画像表示パネルを具えた画像表示装置を屋外に常設することが望まれている。その理由として、該画像表示装置はその厚さ寸法が小さいこと等が挙げられる。厚さ寸法が小さいと、狭い場所への画像表示装置の設置が可能となる。
【０００４】
上記画像表示装置の屋外への常設を可能にするべく、図５に示す様に、防水構造を有する筐体(100)の内部に収容室(110)を形成し、該収容室(110)に画像表示パネル(120)を収容することが考えられる。
【０００５】
具体的には、筐体(100)は、２つの筐体構成部材(101)(102)を互いに接合して構成され、一方の筐体構成部材(101)がガラス材から形成されると共に、該一方の筐体構成部材(101)により筐体(100)の前面壁が構成されている。そして、２つの筐体構成部材(101)(102)の接合面間に、収容室(110)を包囲して延びるシール部材(130)が介在している。ここで、シール部材(130)には、シリコンゴム等から形成されたガスケットが用いられている。
これにより、筐体(100)は、収容室(110)内の空間を防水する防水構造を有し、その結果、収容室(110)内の画像表示パネル(120)は風雨やダスト等から保護されることになる。
【０００６】
収容室(110)内には、画像表示パネル(120)が、その画面(121)を筐体(100)の前面壁に向けて収容されている。よって、ガラス材から形成されている一方の筐体構成部材(101)を通じて、筐体(100)の外部（前面側）から画像表示パネル(120)の画面(121)を視認することが可能となっている。
【先行技術文献】
【特許文献】
【０００７】
【特許文献１】特開２００５−２８６９８７号公報
【発明の概要】
【発明が解決しようとする課題】
【０００８】
しかしながら、上記画像表示装置においては、２つの筐体構成部材(101)(102)の接合面間に筐体(100)の外部から大量の水が浸入した場合、該水の一部がシール部材(130)を通過して収容室(110)内に浸入する虞があった。
【０００９】
これに対し、図６及び図７に示す様に、２つの筐体構成部材(101)(102)の接合面間に、上記シール部材(130)を包囲して別のシール部材(131)を介在させた画像表示装置によれば、収容室(110)内への水の浸入を防止することが可能となる。しかし、この構成においては、多くのシール部材(130)(131)が必要となる。シール部材(130)(131)に用いられるガスケットは高価であるため、シール部材(130)(131)の使用量が増大すると、画像表示装置の製造コストが増大することになる。
【００１０】
そこで本発明の目的は、画像表示装置において、製造コストを増大させることなく高い防水性を有する構造を実現することである。
【課題を解決するための手段】
【００１１】
本発明に係る画像表示装置は、筐体内に画像表示パネルを具えた画像表示装置であって、前記筐体を構成し、且つ前記表示パネルの前面位置に画像表示窓が設けられた前側筐体構成部材と、前記筐体を構成する後側筐体構成部材と、前記２つの筐体構成部材の接合面間に前記表示パネルを包囲する様に設けられたシール部材と、前側筐体構成部材又は後側筐体構成部材の接合面に前記シール部材に沿って設けられた溝部とを具える。ここで、前記溝部は、前記シール部材の外側に設けられている。
【００１２】
上記画像表示装置においては、２つの筐体構成部材の接合面間に浸入した水は、シール部材に到達する前に溝部により捕捉されることになる。従って、接合面間に大量の水が浸入した場合でも、シール部材に到達する水の量は少なくて済む。よって、水がシール部材を通過して収容室内に侵入することが殆どなく、その結果、筐体は高い防水性を有することになる。
【００１３】
又、上記画像表示装置は、筐体構成部材に溝部を形成するだけでよいので、溝部に替えて第２のシール部材を設けた構成に比べて、筐体が有する防水性を高めるために必要な製造コストを増大させなくて済む。
【００１４】
上記画像表示装置の具体的構成において、前記溝部は、前記シール部材に沿って筐体構成部材の端面まで延び、その先端部が筐体構成部材の端面に開口している。
該具体的構成によれば、溝部により捕捉された水は、溝部の内側を通って該溝部の先端部から筐体の外部に排出されることになる。よって、接合面間に浸入する水の量が多くても、溝部により捕捉された水は溝部から溢れ難く、従って、筐体が有する防水性は低下し難い。
【００１５】
より具体的な構成において、前記表示パネルは、その画面を略水平方向に向けて配置され、前記溝部は、前記表示パネルの画面の両側を略鉛直方向に延びている。
該具体的構成によれば、溝部により捕捉された水は、重力によって溝部の内側を通って下方へ流れ、溝部の先端部から筐体の外部に排出されることになる。
【発明の効果】
【００１６】
本発明に係る画像表示装置によれば、製造コストを増大させることなく高い防水性を有する構造が実現されることになる。
【図面の簡単な説明】
【００１７】
【図１】図１は、本発明の一実施形態に係る画像表示装置を前面側から見た斜視図である。
【図２】図２は、上記画像表示装置が具える筐体を示す前面図である。
【図３】図３は、図２に示されるＡ領域を下方から見た斜視図である。
【図４】図３は、図２に示されるＢ−Ｂ線に沿う断面図である。
【図５】図５は、他の画像表示装置の一例を示した前面図である。
【図６】図６は、他の画像表示装置の他の例を示した前面図である。
【図７】図７は、図６に示されるＣ−Ｃ線に沿う断面図である。
【発明を実施するための形態】
【００１８】
以下、本発明の実施の形態につき、図面に沿って具体的に説明する。
図１に示す様に、本発明の一実施形態に係る画像表示装置は、筐体(１)と、筐体(１)内に配備されている液晶表示パネル(２)と、筐体(１)を支持するキャスタ付き支持台(３)と、冷却装置(４)とを具えている。
【００１９】
図２に示す様に、筐体(１)は、２つの筐体構成部材(11)(12)を互いに接合して構成され、内部に収容室(５)を有している。ここで、収容室(５)は、筐体(１)の２つの筐体構成部材(11)(12)を互いに接合することによって形成される空間である。２つの筐体構成部材(11)(12)の内、一方の筐体構成部材(11)は筐体(１)の前面壁を構成し、他方の筐体構成部材(12)は、筐体(２)の上面壁、下面壁、両側面壁及び背面壁を構成している。
【００２０】
収容室(５)には、液晶表示パネル(２)が、その画面(21)を略水平方向に向けると共に筐体(１)の前面壁に向けて収容されている。ここで、一方の筐体構成部材(11)は、光透過性を有する材質、例えばガラス材から形成されている。斯くして、一方の筐体構成部材(11)の内、液晶表示パネル(２)の画面(21)と対向する部分により、筐体(１)の外部からの画面(21)の視認を可能にする画像表示窓が構成されている。
尚、他方の筐体構成部材(12)は、アルミニウム等の金属から形成されている。
【００２１】
図２〜図４に示す様に、２つの筐体構成部材(11)(12)の接合面間には、収容室(５)を包囲して延びるシール部材(６)が介在している。シール部材(６)には、シリコンゴム等から形成されたガスケットが用いられている。
【００２２】
２つの筐体構成部材(11)(12)の接合面の内、他方の筐体構成部材(12)の接合面には、液晶表示パネル(２)の画面(21)の両側をシール部材(６)に沿って略鉛直方向に延びる一対の溝部(７)(７)が凹設されており、該一対の溝部(７)(７)は何れも、シール部材(６)が密着している領域の外側に設けられている。そして、各溝部(７)は、図２に示す様にシール部材(６)に沿って他方の筐体構成部材(12)の下端面(121)まで延び、その先端部が、図３に示す様に他方の筐体構成部材(12)の下端面(121)に開口している。
【００２３】
冷却装置(４)は、収容室(５)内の熱を回収して、収容室(５)内の温度を低下させる装置である。
【００２４】
上記画像表示装置においては、２つの筐体構成部材(11)(12)の接合面間の隙間が、シール部材(６)によって塞がれる。従って、収容室(５)内の空間が密閉されて、筐体(１)は、収容室(５)内の空間を防水する防水構造を有することになる。
【００２５】
この様に収容室(５)内の空間が密閉されることにより、収容室(５)に収容された液晶表示パネル(２)は外気に接し難くなる。従って、画像表示装置を屋外に設置したとき、収容室(５)内の液晶表示パネル(２)は風雨やダストから保護される。
【００２６】
一方、収容室(５)内の空間が密閉されると、液晶表示パネル(２)から生じる熱は収容室(５)内に溜まり易く、従って、収容室(５)内の温度は上昇し易くなる。ここで、上記画像表示装置には冷却装置(４)が設けられており、該冷却装置(４)により収容室(５)内の熱が回収される。よって、収容室(５)内の温度上昇が抑制され、その結果、液晶表示パネル(２)の温度上昇が抑制されて、液晶表示パネル(２)の機能は正常な状態に維持される。
【００２７】
又、上記画像表示装置においては、２つの筐体構成部材(11)(12)の接合面間に浸入した水は、シール部材(６)に到達する前に一対の溝部(７)(７)により捕捉されることになる。従って、接合面間に大量の水が浸入した場合でも、シール部材(６)に到達する水の量は少なくて済む。よって、水がシール部材(６)を通過して収容室(５)内に浸入することが殆どなく、その結果、筐体(１)は高い防水性を有することになる。
【００２８】
更に、上記画像表示装置においては、一対の溝部(７)(７)により捕捉された水は、重力によって各溝部(７)の内側を通って下方へ流れ、該溝部(７)の先端部から筐体(１)の外部に排出されることになる。よって、２つの筐体構成部材(11)(12)の接合面間に浸入する水の量が多くても、各溝部(７)により捕捉された水は該溝部(７)から溢れ難く、従って、筐体(１)が有する防水性は低下し難い。
【００２９】
更に又、上記画像表示装置は、他方の筐体構成部材(12)に一対の溝部(７)(７)を形成するだけでよいので、図６に示す如く一対の溝部(７)(７)に替えてシール部材(131)を設けた構成に比べて、筐体(１)が有する防水性を高めるために必要な製造コストを増大させなくて済む。
よって、上記画像表示装置によれば、製造コストを増大させることなく高い防水性を有する構造が実現されることになる。
【００３０】
尚、本発明の各部構成は上記実施形態に限らず、特許請求の範囲に記載の技術的範囲内で種々の変形が可能である。
上記実施形態においては、２つの筐体構成部材(11)(12)の内、他方の筐体構成部材(12)の接合面にのみ一対の溝部(７)(７)が設けられていたが、本発明はこれに限られるものではない。溝部(７)は、一方の筐体構成部材(11)の接合面にのみ設けられてもよく、或いは、２つの筐体構成部材(11)(12)の両接合面に設けられてもよい。
【００３１】
又、上記画像表示装置に採用した各種構成は、液晶表示パネル(２)を具えた画像表示装置に限らず、プラズマ表示パネルや有機ＥＬ（Electro-Luminescence）表示パネル等、種々の画像表示パネルを具えた画像表示装置に適用することが出来る。
【符号の説明】
【００３２】
(１)  筐体
(11)  一方の筐体構成部材（前側筐体構成部材）
(12)  他方の筐体構成部材（後側筐体構成部材）
(２)  液晶表示パネル（表示パネル）
(21)  画面
(５)  収容室
(６)  シール部材
(７)  溝部
【図１】
2011053355.tif 000003
【図２】
2011053355.tif 000004
【図３】
2011053355.tif 000005
【図４】
2011053355.tif 000006
【図５】
2011053355.tif 000007
【図６】
2011053355.tif 000008
【図７】
2011053355.tif 000009